(57)【特許請求の範囲】
【請求項１】
容器開口部が、外周面にねじ部を形成してなる環状の首部に形成された容器本体と、この容器本体の首部に着脱自在にら着されるキャップとからなり、上記容器本体の首部に、その下端部の内周面にその全周にわたって円環状凸部を形成するとともに、上記キャップの天井壁から環状壁を垂設し、この環状壁の上端部に、上記首部の上端開口部に内嵌する厚肉部を形成し、同じくその下端部の外周面に、その全周にわたって円環状傾斜面を形成し、この円環状傾斜面を上記容器本体の首部内周面の円環状凸部に密着状に当接させており、上記環状壁の上端部と下端部の間の、容器本体の内周面に当接してない外周面の部分に、その軸芯に沿って３本以上の筋状凸部が、それぞれ所定間隔をあけた状態で盛り上げ形成されていることを特徴とする洗浄剤収容容器。
【請求項２】
容器開口部が、外周面にねじ部を形成してなる環状の首部に形成された容器本体と、この容器本体の首部に着脱自在にら着されるキャップとからなり、上記容器本体の首部に、その下端部の内周面にその全周にわたって円環状凸部を形成するとともに、上記キャップの天井壁から環状壁を垂設し、この環状壁の上端部に、上記首部の上端開口部に内嵌する厚肉部を形成し、同じくその下端部の外周面に、その全周にわたって円環状傾斜面を形成し、この円環状傾斜面を上記容器本体の首部内周面の円環状凸部に密着状に当接させており、上記環状壁の上端部と下端部の間の、容器本体の内周面に当接してない外周面の部分に、この外周面を１周する環状凸部が周設されていることを特徴とする洗浄剤収容容器。
【請求項３】
上記容器本体が柔軟な合成樹脂材料により成形されている請求項１または２記載の洗浄剤収容容器。
【請求項４】
上記環状壁に水溶性フィルムが熱溶着により、点付け状，線付け状，面付け状のいずれかの方法により貼り付けられている請求項１〜３のいずれか一項に記載の洗浄剤収容容器。
【請求項５】
上記天井壁内側に沿って水溶性フィルムが熱溶着により、点付け状，線付け状，面付け状のいずれかの方法により貼り付けられている請求項１〜３のいずれか一項に記載の洗浄剤収容容器。
【発明の詳細な説明】
【０００１】
【発明の属する技術分野】
本発明は、各種の洗浄剤を収容する洗浄剤収容容器に関するものである。
【０００２】
【従来の技術】
従来から、粉状等の各種の洗浄剤を収容する洗浄剤収容容器は、図２４に示すように、容器本体４１とキャップ４２とを備えており、容器本体４１の首部４３の外周面に形成したねじ部４３ａに、キャップ４２の内周面に形成したねじ部４２ａを着脱自在にら着している（図２５参照）。図２４において、４４は容器本体４１の肩部に突設された６本の補強用突条である（図２４では、２本の補強用突条４４は隠れて見えない）。
【０００３】
【発明が解決しようとする課題】
しかしながら、上記構造の洗浄剤収容容器では、キャップ４２で蓋した容器本体４１を転倒等させると、容器本体４１内に収容した洗浄剤が容器本体４１の首部４３の上端面とキャップ４２の天井壁４２ｂ（図２５参照）の裏面との間を通り、上記両ねじ部４２ａ，４３ａ間に溜まったり、外部に漏れ出たりするという問題がある。また、容器本体４１が柔軟な材質で成形されている場合には、容器本体４１を傾けた状態で床面等上に落したときに、キャップ４２が床面等に当たる角度によっては、その衝撃で容器本体４１の首部４３が変形してキャップ４２が容器本体４１の首部４３から外れ、容器本体４１内に収容した洗浄剤が床面にこぼれたり、飛び散るという問題もある。そして、これらの場合において、この洗浄剤は一般にアルカリ性であり、ゴム製等の手袋等の適切な保護具を着用しないで、床面にこぼれたり、飛び散ったりした洗浄剤を片付けたり、落下した容器本体４１に再びキャップ４２をら着した場合には手指等の皮膚に炎症等を生じることがある。
【０００４】
また、洗浄剤収容容器には、洗浄液を食器洗浄機等に供給する洗浄液供給装置に逆さに取り付けて使用されるものがある。このものでは、キャップ４２の天井壁４２ｂに多数のスリット等が穿設されており、使用時には、洗浄液供給装置に逆さに取り付けた洗浄剤収容容器のキャップ４２のスリットに対して、洗浄剤溶解装置の内側に設けられた溶媒を上向きに噴射する噴射ノズルによって溶媒である水（あるいは湯）を噴射させスリットを通して容器内に導入し容器内の粉状，粉粒状，塊状，タブレット状（錠剤）および固形状の洗浄剤を溶解して洗浄液としたのち食器洗浄機等に供給するようにしている。このような洗浄剤収容容器のキャップ４２には、図２５に示すように、キャップ４２の天井壁４２ｂの裏面に、容器本体４１の首部４３の上端開口部に内嵌する環状凸部４５を設けたものがあるが、このものでも、上記問題と同様の問題が発生している。
【０００５】
本発明は、このような事情に鑑みなされたもので、容器本体を転倒等させた場合にも容器本体内の洗浄剤が容器本体の首部のねじ部とキャップのねじ部の間に溜まったり、外部に漏れ出たりすることがなく、しかも、容器本体を傾けた状態で床面等上に落してもキャップが容器本体の首部から外れることのない洗浄剤収容容器の提供をその目的とする。
【０００６】
【課題を解決するための手段】
上記の目的を達成するため、本発明の洗浄剤収容容器は、容器開口部が、外周面にねじ部を形成してなる環状の首部に形成された容器本体と、この容器本体の首部に着脱自在にら着されるキャップとからなり、上記容器本体の首部に、その下端部の内周面にその全周にわたって円環状凸部を形成するとともに、上記キャップの天井壁から環状壁を垂設し、この環状壁の上端部に、上記首部の上端開口部に内嵌する厚肉部を形成し、同じくその下端部の外周面に、その全周にわたって円環状傾斜面を形成し、この円環状傾斜面を上記容器本体の首部内周面の円環状凸部に密着状に当接させており、上記環状壁の上端部と下端部の間の、容器本体の内周面に当接してない外周面の部分に、その軸芯に沿って３本以上の筋状凸部が、それぞれ所定間隔をあけた状態で盛り上げ形成されているか、上記環状壁の上端部と下端部の間の、容器本体の内周面に当接してない外周面の部分に、この外周面を１周する環状凸部が周設されているという構成をとる。
【０００７】
すなわち、本発明の洗浄剤収容容器は、容器本体の首部下端部の内周面に形成された円環状凸部に、キャップの天井壁から垂設する環状壁の外周面に形成された円環状傾斜面を密着状に当接させている。また、上記環状壁の上端部に厚肉部を形成して、この部分を上記首部の上端開口部に内嵌している。したがって、容器本体を転倒等させた場合にも、上記首部の上端開口部と環状壁厚肉部との嵌合部分、および上記首部の内周面円環状凸部と環状壁の外周面円環状傾斜面との当接部分で、容器本体内の洗浄剤が上記首部と環状壁との間に浸入するのを防ぐことができ、容器本体内の洗浄剤が容器本体の首部とキャップ間のら着部分に溜まったり、外部に漏れ出たりすることがなくなる。しかも、キャップの天井壁から垂設する環状壁により、容器本体の首部が変形するのを防ぐことができ、万が一に床面等上に落下した場合にも、キャップが容器本体の首部から外れなくなる。
【０００８】
本発明において、上記容器本体が柔軟な合成樹脂材料により成形されている場合には、容器本体を偏平にする等、コンパクトにして廃棄することができる。
【０００９】
本発明において、上記キャップの環状壁あるいは天井壁内側に沿って水溶性フィルムが熱溶着により、点付け状，線付け状，面付け状のいずれかの方法により貼り付けられている場合には、環状壁あるいは天井壁内側に水溶性フィルムを簡単に、かつ安価に貼り付けることができる。
【００１０】
そして、本発明のうち、上記容器本体の首部の内周面に当接していない上記環状壁の外周面の部分に、その軸心に沿って３本以上の筋状凸部がそれぞれ所定の間隔をあけた状態で盛り上げ形成されているものは、上記容器本体の首部の内周面に当接していない上記環状壁の外周面の部分において、各筋状凸部が盛り上げ形成された個所で上記首部の内周面と環状壁の外周面とのクリアランスを狭めることができるとともに、上記環状壁の強度アップを図ることができる。このため、上記環状壁の外周面に筋状凸部を盛り上げ形成していない洗浄剤収容容器と比べ、より強く上記首部の内周面円環状凸部と環状壁の外周面円環状傾斜面とが密着状に当接し、容器本体を転倒等させた場合にも、容器本体内の洗浄剤が上記首部と環状壁との間に浸入することがなくなる。また、より確実に容器本体の首部が変形するのを防ぐことができ、万が一に床面等上に落下した場合にも、キャップが上記首部から外れることがなくなる。したがって、容器本体内に収容する洗浄剤の選択肢を大幅に拡げることができ、水酸化ナトリウム，水酸化カリウム等の「毒物及び劇物取締法」に定められた成分を所望の量配合した洗浄剤等でも安心して収容することができる。しかも、環状壁の外周面に筋状凸部を盛り上げ形成しているため、成形がしやすい。これに対し、環状壁の内周面に筋状凸部を盛り上げ形成したものでは、万が一に床面等上に落下した場合のキャップ脱落防止効果が殆どないうえ、成形がしにくい。また、上記首部の内周面を厚肉にしたものでは、上記キャップ脱落防止効果は少しあるものの、成形がしにくいうえ、上記首部の樹脂量が増加してコスト高になり、不経済である。本発明では、筋状凸部の本数は３本以上に設定され、好適には、４〜７２本の範囲内に設定され、さらに好適には、３４〜３８本の範囲内に設定される。上記本数が２本以下であると、上記キャップ脱落防止効果に劣る。一方、上記本数が７３本以上であると、成形がしにくい。また、各筋状凸部は、環状壁の外周面に周方向に等間隔をあけて配設されることが好ましいが、環状壁の外周面に均等に配設されるのであれば、周方向に等間隔をあけて配設する必要はない。
【００１１】
また、本発明のうち、上記容器本体の首部の内周面に当接していない上記環状壁の外周面の部分に、この外周面を１周する環状凸部が周設されているものも、上記容器本体の首部の内周面に当接していない上記環状壁の外周面の部分において、環状凸部が周設された個所で上記首部の内周面と環状壁の外周面とのクリアランスを狭めることができるとともに、上記環状壁の強度アップを図ることができる。このため、上記環状壁の外周面に環状凸部を周設していない洗浄剤収容容器と比べ、より強く上記首部の内周面円環状凸部と環状壁の外周面円環状傾斜面とが密着状に当接し、容器本体を転倒等させた場合にも、容器本体内の洗浄剤が上記首部と環状壁との間に浸入することがなくなる。また、より確実に容器本体の首部が変形するのを防ぐことができ、万が一に床面等上に落下した場合にも、キャップが上記首部から外れることがなくなる。したがって、容器本体内に収容する洗浄剤の選択肢を大幅に拡げることができ、水酸化ナトリウム，水酸化カリウム等の「毒物及び劇物取締法」に定められた成分を所望の量配合した洗浄剤等でも安心して収容することができる。しかも、環状壁の外周面に環状凸部を周設しているため、成形がしやすい。これに対し、環状壁の内周面に環状凸部を周設した場合には、上記キャップ脱落防止効果が殆どないうえ、成形がしにくい。なお、本発明で、「外周面を１周する」とは、途中の１個所もしくは複数個所で途切れている場合を含むものとする。
【００１２】
【発明の実施の形態】
つぎに、本発明の実施の形態を、参考の形態とともに、図面にもとづいて説明する。
【００１３】
図１は本発明の洗浄剤収容容器の一参考の形態を示している。この参考の形態では、洗浄剤収容容器は、内部に粉粒状の洗浄剤（図示せず）が収容された容器本体１と、この容器本体１の首部５に着脱自在にら着されるキャップ２と、このキャップ２に貼着される水溶性フィルム３（図３参照）とからなる。
【００１４】
上記容器本体１は、低密度ポリエチレンのチップと高密度ポリエチレンのチップとを所定の割合（この実施の形態では、低密度ポリエチレンを１００〜５０重量％、高密度ポリエチレンを０〜５０重量％の割合）で混合し溶融してなる材料を用いて成形されたものであり、折り畳み可能な程度に柔軟に成形されている。なお、低密度ポリエチレンの重量％が高まると容器本体１がより柔軟になり、高密度ポリエチレンの重量％が高まると容器本体１がより高い剛性を有するようになる。
【００１５】
上記容器本体１には、その首部５の外周面にねじ部５ａが形成されており、上記キャップ２の外壁２３の内周面に形成されたねじ部２３ａにら着している（図４参照）。また、上記首部５の下端部の内周面にその全周にわたって円環状凸部５ｂ（図４参照）が突設されており、後述する内壁２４の円環状傾斜面２４ａに密着状に当接している。また、上記容器本体１には、図１に示すように、その底部に凹部６（図２では、図示せず）が形成されており、この凹部６の下端部に、上記凹部６の上面との間に手指挿入用空間を設けた状態で、棒状の把持部７（図２では、図示せず）が架設されている。図１において、８は上記容器本体１の首部５の下端部（上記ねじ部５ａの下側部分）に形成された突条である。
【００１６】
このような容器本体１には、図１および図２に示すように、その胴部１１の相対峙する側面（図面では、前後両側面）に、Ｉ字溝１３と、このＩ字溝１３の上下両端から分岐状に延びる上下一対のＶ字溝１４，１５とからなる前後一対の縦溝１２が形成されている。また、上記胴部１１の上端部分（上側Ｖ字溝１４の上端に対応する部分）に４本の略円弧状溝１６〜１９（２本の略１／３円弧状溝１６，１７と２本の略１／６円弧状溝１８，１９）が同心円状に形成されており、２本の略１／３円弧状溝１６，１７が両縦溝１２間に配設されているとともに、２本の略１／６円弧状溝１８，１９が各上側Ｖ字溝１４間に配設されている。同様に、上記胴部１１の下端部分（下側Ｖ字溝１５の下端に対応する部分）に、４本の略円弧状溝１６〜１９（２本の略１／３円弧状溝１６，１７と２本の略１／６円弧状溝１８，１９）が同心円状に形成されている。また、上記胴部１１の中間部分（Ｉ字溝１３の上端に対応する部分）に２本の略１／２円弧状溝２０，２１が同心円状に形成されており、両Ｉ字溝１３間に配設されている。同様に、上記胴部１１の中間部分（Ｉ字溝１３の下端に対応する部分）に２本の略１／２円弧状溝２０，２１が同心円状に形成されている。
【００１７】
一方、上記キャップ２には、図３に示すように、その天井壁２ａの外周縁から外壁２３が垂設されているとともに、その内側に円環状内壁２４が上記外壁２３と同心円状に垂設されている。そして、上記外壁２３の内周面に、図４（この図４には、水溶性フィルム３は図示せず）に示すように、上記容器本体１の首部５の外周面に形成されたねじ部５ａにら合するねじ部２３ａが形成されている。また、上記内壁２４の上端部は上記容器本体１の首部５の上端開口部に内嵌し、上記内壁２４の下端部の外周面にその全周にわたって、上記首部５の円環状凸部５ｂに密着状に当接する円環状傾斜面２４ａが形成されている。
【００１８】
上記キャップ２には、図５に示すように、その天井壁２ａにスリット群２５が形成されている。このスリット群２５は、中央に形成された内側格子状多孔群２６と、その外周部に形成された外側異形スリット群２７とからなり、上記内側格子状多孔群２６は３７個の正方形孔２６ａが格子状に穿設されて構成されている。一方、上記外側異形スリット群２７は、天井壁２ａの中心（すなわち、内側格子状多孔群２６の中心部）を仮想中心として放射状に延びる多数のスリットからなり、各スリットの外側端部は全て天井壁２ａの中心を仮想中心とする仮想円上に位置している。このような外側異形スリット群２７は、上記内側格子状多孔群２６の近傍から上記仮想円まで延びる長スリット２８と、この長スリット２８の略半分の長さに形成された半長スリット２９等の多数のスリットで構成されている。
【００１９】
また、上記キャップ２には、その内壁２４の下端開口部を塞ぐようにして水溶性フィルム３が設けられている。この水溶性フィルム３は、変性ポリビニールアルコール系フィルム（厚み２０〜３０μｍ）からなり、上記内壁２４の下端開口部に位置決めした状態で、その外周部を内壁２４の下端部の外周面に沿わせて折り曲げ、この折り曲げ部を点付け状に熱溶着させることにより、内壁２４の下端開口部に貼着したものである。この熱溶着は、通常、温度１６０〜２８０℃，時間０．２〜５．０秒に設定して行われる。
【００２０】
上記の構成において、容器本体１をコンパクトに折り畳む場合には、容器本体１の胴部１１に形成した両縦溝１２および各円弧状溝１６〜２１に沿って容器本体１を折り曲げて偏平にすることを行う。
【００２１】
このように、上記参考の形態では、キャップ２の天井壁２ａから垂設した内壁２４の下端部の外周面に円環状傾斜面２４ａを形成し、この円環状傾斜面２４ａを容器本体１の首部５の内周面に形成した円環状凸部５ｂに密着させているために、容器本体１内に収容した洗浄剤が容器本体１の首部５から外部に漏れ出ることがなくなる（図４参照）。しかも、上記容器本体１の首部５をキャップ２の内外両壁２３，２４で挟む構造であり、容器本体１を傾けた状態で床面等上に落した場合にも、キャップ２が容器本体１の首部５から外れることがない。さらに、容器本体１の胴部１１に設けた両縦溝１２および各円弧状溝１６〜２１により、廃棄時に容器本体１を折り畳んで偏平にし、減容化することが可能である。
【００２２】
図６は上記キャップ２の変形例を示している。この変形例では、上記キャップ２の内壁２４の内周面に水溶性フィルム３が点付け状に熱溶着されている。なお、水溶性フィルム３は線付け状あるいは面付け状に熱溶着することもできる。それ以外の部分は上記参考の形態と同様であり、同様の部分には同じ符号を付している。この参考の形態でも、上記参考の形態と同様の作用・効果を奏する。
【００２３】
図７は本発明の一実施の形態におけるキャップ２の一例を示している。この例では、図８（この図８では、キャップ２の天井壁２ａに形成されたスリット群２５を図示せず）〜図１１に示すように、キャップ２の内壁２４の内周面は円筒状に形成されており、上記内壁２４の下端部の外周面にその全周にわたって、容器本体１の首部５の円環状凸部５ｂ（図１２参照）に密着状に当接する円環状傾斜面２４ａが形成されている。また、上記内壁２４の上端部に、上記首部５の上端開口部に内嵌する厚肉部２４ｂが形成されており、下端部（外周面に円環状傾斜面２４ａが形成された部分）と上端部（厚肉部２４ｂ）との間に、外周面が下側に向かって急激に大きく縮径したのち緩やかに小さく縮径する薄肉部２４ｃが形成されている。そして、上記薄肉部２４ｃの外周面（すなわち、上記首部５の内周面に当接していない部分）に、上記内壁２４の軸心に沿って（すなわち、垂直方向に）延びる３本の筋状凸部３０が周方向に等間隔をあけて盛り上げ形成されている。それ以外の部分は図１に示す参考の形態と同様であり、同様の部分には同じ符号を付している。なお、図１に示す参考の形態のキャップ２は、薄肉部２４ｃに３本の筋状凸部３０を盛り上げ形成した点を除くと、この例に示すキャップ２と同様構造をしている。
【００２４】
この例では、内壁２４の薄肉部２４ｃの外周面に３本の筋状凸部３０が突設されているため、図１に示す参考の形態と比べて、より強く内壁２４の円環状傾斜面２４ａが容器本体１の円環状凸部５ｂに密着し、容器本体１内の洗浄剤が容器本体１の首部５から外部に漏れ出ることが全くなくなる。しかも、図１に示す参考の形態と比べて、より強く容器本体１の首部５をキャップ２の内外両壁２３，２４で挟むことができ、容器本体１を傾けた状態で床面等上に落した場合にも、キャップ２が容器本体１の首部５から外れることが全くなくなる。したがって、容器本体１内に収容する洗浄剤の選択肢が大幅に拡がり、水酸化ナトリウム，水酸化カリウム等の「毒物及び劇物取締法」に定められた成分を所望の量配合した洗浄剤等でも安心して収容することができる。
【００２５】
図１３および図１４は上記一実施の形態におけるキャップ２の変形例を示している。この変形例では、図７に示すキャップ２に設けた各筋状凸部３０の上面に３つの半球状の凹部３１が形成されている。それ以外の部分は図７に示すキャップ２と同様であり、同様の部分には同じ符号を付している。この変形例でも、図７に示すキャップ２と同様の作用・効果を奏する。
【００２６】
図１５は上記キャップ２のさらに他の変形例を示している。この変形例では、図７に示すキャップ２に設けた各筋状凸部３０の上面に３つの円柱状の凹部３２が形成されている。それ以外の部分は図７に示すキャップ２と同様であり、同様の部分には同じ符号を付している。この変形例でも、図７に示すキャップ２と同様の作用・効果を奏する。
【００２７】
図１６〜図１８は上記キャップ２のさらに他の変形例を示している。この変形例では、図７に示すキャップ２に設けた各筋状凸部３０の上面に、内壁２４の軸心に沿って延びる１本のＶ字状の溝部３３が形成されている。それ以外の部分は図７に示すキャップ２と同様であり、同様の部分には同じ符号を付している。この変形例でも、図７に示すキャップ２と同様の作用・効果を奏する。
【００２８】
図１９および図２０は上記キャップ２のさらに他の変形例を示している。この変形例では、図７に示すキャップ２に設けた各筋状凸部３０が、内壁２４の厚肉部２４ｂから離れた状態で、盛り上げ形成されている。それ以外の部分は図７に示すキャップ２と同様であり、同様の部分には同じ符号を付している。この変形例でも、図７に示すキャップ２と同様の作用・効果を奏する。
【００２９】
図２１および図２２は上記キャップ２のさらに他の変形例を示している。この変形例では、内壁２４の薄肉部２４ｃの外周面に、上記内壁２４の軸心を中心として上記外周面を１周りする２本の環状凸部３４（両環状凸部３４の断面形状は半円形状に形成されている）が上下並列状に周設されている。それ以外の部分は図７に示すキャップ２と同様であり、同様の部分には同じ符号を付している。
【００３０】
この変形例では、内壁２４の薄肉部２４ｃの外周面に２本の環状凸部３４が周設されているため、図１に示す参考の形態と比べて、より強く内壁２４の円環状傾斜面２４ａが容器本体１の円環状凸部５ｂに密着し、容器本体１内の洗浄剤が容器本体１の首部５から外部に漏れ出ることが全くなくなる。しかも、図１に示す参考の形態と比べて、より強く容器本体１の首部５をキャップ２の内外両壁２３，２４で挟むことができ、容器本体１を傾けた状態で床面等上に落した場合にも、キャップ２が容器本体１の首部５から外れることが全くなくなる。したがって、容器本体１内に収容する洗浄剤の選択肢が大幅に拡がり、水酸化ナトリウム，水酸化カリウム等の「毒物及び劇物取締法」に定められた成分を所望の量配合した洗浄剤等でも安心して収容することができる。
【００３１】
図２３は上記キャップ２のさらに他の変形例を示している。この変形例では、図２１および図２２に示すキャップ２に設けた各環状凸部３４の断面形状がＶ字状に形成されている。また、３本の環状凸部３４が上下並列状に周設されている。それ以外の部分は図２１および図２２に示すキャップ２と同様であり、同様の部分には同じ符号を付している。この変形例でも、図２１および図２２に示すキャップ２と同様の作用・効果を奏する。
【００３２】
なお、上記実施の形態では、キャップ２の天井壁２ａに形成されたスリット群２５が内側格子状多孔群２６と外側異形スリット群２７とで構成されているが、これに限定するものではなく、天井壁２ａの中心部から放射状に延びる多数のスリットだけで構成してもよい。また、上記実施の形態では、キャップ２が円形に形成されているが、容器本体１に取付けることができるキャップであれば、四角形等各種の形状のものが用いられる。また、上記実施の形態では、キャップ２を容器本体１に着脱自在に取付けているが、キャップ２を容器本体１に打ち込む等して、着脱できない構造にしてもよい。
【００３３】
また、上記実施の形態では、容器本体１の胴部１１に両縦溝１２および各円弧状溝１６〜２１を形成しているが、これら両縦溝１２および各円弧状溝１６〜２１をリブ形状に形成してもよい。
【００３４】
また、水溶性フィルム３の構成材料として、変性ポリビニールアルコール系フィルム；ハイセロン（日本合成化学工業社製），フレキシーヌ・パオゲンフィルム（第一工業製薬社製），カルボキシメチルセルロースフィルム，ヒドロキシエチルセルロースフィルム、ヒドロキシプロピルセルロースフィルム，ポリビニールアルコールフィルム、プルランフィルム等を用いることができる。なかでも、溶解性，引張強度，引張伸度，耐熱性の点から、変性ポリビニールアルコール系フィルム；ハイセロン（日本合成化学工業社製）、フレキシーヌ・パオゲンフィルム（第一工業製薬社製）が好ましく用いられる。また、水溶性フィルム３の貼り付け場所は、キャップ２の内壁２４および天井壁２ａに限定されるものではなく、容器本体１の首部５の上端開口部等でもよい。また、水溶性フィルム３の貼り付け方法として、点付け状に熱溶着すること以外に、線付け状または面付け状に熱溶着すること、もしくはこれらの組み合わせ等の、各種の方法が考えられる。
【００３５】
また、図１３〜図１５に示すキャップ２には、その各筋状凸部３０の上面に３つの半球状の凹部３１もしくは円柱状の凹部３２を設けているが、凹部３１，３２の形状はどのような形状でもよいし、凹部３１，３２の個数は何個でもよい。また、凹部３１，３２に代えて凸部を設けてもよい。また、図１６〜図１８に示すキャップ２には、その各筋状凸部３０の上面に１本のＶ字状の溝部３３を形成しているが、溝部３３の形状はどのような形状でもよいし、溝部３３の本数は何本でもよい。また、溝部３３に代えて突条を設けてもよい。また、図２１〜図２３に示すキャップ２には、断面形状が半円形状に形成された２本の環状凸部３４もしくは断面形状がＶ字状に形状された３本の環状凸部３４を設けているが、環状凸部３４の形状はどのような形状でもよいし、環状凸部３４の本数は何本でもよい。また、環状凸部３４の外周面にさらに凹部，凸部，溝部もしくは突条を設けてもよい。
【００３６】
【発明の効果】
以上のように、本発明の洗浄剤収容容器によれば、容器本体の首部の内周面に形成された円環状凸部に、キャップの天井壁から垂設する環状壁の外周面に形成された円環状傾斜面を密着状に当接させている。また、上記環状壁の上端部に厚肉部を形成して、この部分を上記首部の上端開口部に内嵌している。したがって、容器本体を転倒等させた場合にも、上記首部の上端開口部と環状壁厚肉部との嵌合部分、および上記首部の内周面円環状凸部と環状壁の外周面円環状傾斜面との当接部分で、容器本体内の洗浄剤が上記首部と環状壁との間に侵入するのを防ぐことができ、容器本体内の洗浄剤が容器本体の首部とキャップ間のら着部分に溜まったり、外部に漏れ出たりすることがなくなる。しかも、キャップの天井壁から垂設する環状壁により、容器本体の首部が変形するのを防ぐことができ、万が一に床面等上に落下した場合にも、キャップが容器本体の首部から外れなくなる。
【００３７】
本発明において、上記容器本体が柔軟な合成樹脂材料により成形されている場合には、容器本体を偏平にする等、コンパクトにして廃棄することができる。
【００３８】
本発明において、上記キャップの環状壁あるいは天井壁内側に沿って水溶性フィルムが熱溶着により、点付け状，線付け状，面付け状のいずれかの方法により貼り付けられている場合には、環状壁あるいは天井壁内側に水溶性フィルムを簡単に、かつ安価に貼り付けることができる。
【００３９】
本発明のうち、上記容器本体の首部の内周面に当接していない上記環状壁の外周面の部分に、その軸心に沿って３本以上の筋状凸部がそれぞれ所定の間隔をあけた状態で盛り上げ形成されているものは、上記容器本体の首部の内周面に当接していない上記環状壁の外周面の部分において、各筋状凸部が盛り上げ形成された個所で上記首部の内周面と環状壁の外周面とのクリアランスを狭めることができるとともに、上記環状壁の強度アップを図ることができる。このため、上記環状壁の外周面に筋状凸部を盛り上げ形成していない洗浄剤収容容器と比べ、より強く上記首部の内周面円環状凸部と環状壁の外周面円環状傾斜面とが密着状に当接し、容器本体を転倒等させた場合にも、容器本体内の洗浄剤が上記首部と環状壁との間に浸入することがなくなる。また、より確実に容器本体の首部が変形するのを防ぐことができ、万が一に床面等上に落下した場合にも、キャップが上記首部から外れることがなくなる。したがって、容器本体内に収容する洗浄剤の選択肢を大幅に拡げることができ、水酸化ナトリウム，水酸化カリウム等の「毒物及び劇物取締法」に定められた成分を所望の量配合した洗浄剤等でも安心して収容することができる。しかも、環状壁の外周面に筋状凸部を盛り上げ形成しているため、成形がしやすい。これに対し、環状壁の内周面に筋状凸部を盛り上げ形成したものでは、万が一に床面等上に落下した場合のキャップ脱落防止効果が殆どないうえ、成形がしにくい。また、上記首部の内周面を厚肉にしたものでは、上記キャップ脱落防止効果は少しあるものの、成形がしにくいうえ、上記首部の樹脂６が増加してコスト高になり、不経済である。
【００４０】
また、本発明のうち、上記容器本体の首部の内周面に当接していない上記環状壁の外周面の部分に、この外周面を１周する環状凸部が周設されているものも、上記容器本体の首部の内周面に当接していない上記環状壁の外周面の部分において、環状凸部が周設された個所で上記首部の内周面と環状壁の外周面とのクリアランスを狭めることができるとともに、上記環状壁の強度アップを図ることができる。このため、上記環状壁の外周面に環状凸部を周設していない洗浄剤収容容器と比べ、より強く上記首部の内周面円環状凸部と環状壁の外周面円環状傾斜面とが密着状に当接し、容器本体を転倒等させた場合にも、容器本体内の洗浄剤が上記首部と環状壁との間に浸入することがなくなる。また、より確実に容器本体の首部が変形するのを防ぐことができ、万が一に床面等上に落下した場合にも、キャップが上記首部から外れることがなくなる。したがって、容器本体内に収容する洗浄剤の選択肢を大幅に拡げることができ、水酸化ナトリウム，水酸化カリウム等の「毒物及び劇物取締法」に定められた成分を所望の量配合した洗浄剤等でも安心して収容することができる。しかも、環状壁の外周面に環状凸部を周設しているため、成形がしやすい。これに対し、環状壁の内周面に環状凸部を周設した場合には、上記キャップ脱落防止効果が殆どないうえ、成形がしにくい。
【図面の簡単な説明】
【図１】  本発明の洗浄剤収容容器の一参考の形態を示す説明図である。
【図２】  容器本体の側面図である。
【図３】  キャップの断面図である。
【図４】  上記容器本体をキャップで蓋した状態を示す要部の断面図である。
【図５】  上記キャップのスリット群の説明図である。
【図６】  上記キャップの変形例を示す断面図である。
【図７】  本発明の一実施の形態におけるキャップの一例を示す断面図である。
【図８】  上記キャップの裏面図である。
【図９】  上記キャップの要部の断面図である。
【図１０】  筋状凸部の断面図である。
【図１１】  上記筋状凸部の説明図である。
【図１２】  上記容器本体をキャップで蓋した状態を示す要部の断面図である。
【図１３】  上記キャップの他の変形例を示す要部の断面図である。
【図１４】  上記筋状凸部の説明図である。
【図１５】  上記キャップのさらに他の変形例を示す要部の断面図である。
【図１６】  上記キャップのさらに他の変形例を示す要部の断面図である。
【図１７】  上記筋状凸部の説明図である。
【図１８】  上記筋状凸部の断面図である。
【図１９】  上記キャップのさらに他の変形例を示す要部の断面図である。
【図２０】  上記筋状凸部の説明図である。
【図２１】  上記キャップのさらに他の変形例を示す断面図である。
【図２２】  上記キャップの説明図である。
【図２３】  上記キャップのさらに他の変形例を示す要部の断面図である。
【図２４】  従来例を示す正面図である。
【図２５】  従来例の要部の断面図である。
【符号の説明】
１  容器本体
２  キャップ
２ａ  天井壁
５  首部
２４  内壁
【図１】
0004827281.tif 000002
【図２】
0004827281.tif 000003
【図３】
0004827281.tif 000004
【図４】
0004827281.tif 000005
【図５】
0004827281.tif 000006
【図６】
0004827281.tif 000007
【図７】
0004827281.tif 000008
【図８】
0004827281.tif 000009
【図９】
0004827281.tif 000010
【図１０】
0004827281.tif 000011
【図１１】
0004827281.tif 000012
【図１２】
0004827281.tif 000013
【図１３】
0004827281.tif 000014
【図１４】
0004827281.tif 000015
【図１５】
0004827281.tif 000016
【図１６】
0004827281.tif 000017
【図１７】
0004827281.tif 000018
【図１８】
0004827281.tif 000019
【図１９】
0004827281.tif 000020
【図２０】
0004827281.tif 000021
【図２１】
0004827281.tif 000022
【図２２】
0004827281.tif 000023
【図２３】
0004827281.tif 000024
【図２４】
0004827281.tif 000025
【図２５】
0004827281.tif 000026